(57)【特許請求の範囲】
【請求項１】
左右辺及び上下辺を有する表地と、
同じく左右辺及び上下辺を有し、前記表地と合わされて各辺を縫い合わされ内部に中袋を形成している裏地と、
前記中袋を左右方向に分割し上下方向に延びる縦方向マチテープと、
前記中袋を上下方向に分割し左右方向に延びる横方向マチテープと、
分割された中袋の各々に充填された羽毛と、
を備える羽毛布団であって；
ここで、前記左右方向とは寝る人の左右方向をいい、前記上下方向とは寝る人の身長の方向をいい、
前記縦方向マチテープは、前記表地と前記裏地の間において、斜めに折れ線状に配設されており、
前記横方向マチテープは、その左右端部が半円周状に前記表地及び裏地に縫い付けられており、
前記左右端部を除いて布団の厚さが１５ｃｍ以上であることを特徴とする羽毛布団。
【請求項２】
左右端の前記縦方向マチテープは、前記横方向マチテープの半円周状部の内側端部に縫い付けられており、
左右端の分割区画の横断面形状が、端部の半円周状の部分とその内側の三角形状の部分とを有する形状であり、
前記三角形状の部分に充填されている羽毛が前記縦方向マチテープに沿って前記半円周状の部分に集まりやすくなることを特徴とする請求項１に記載の羽毛布団。
【請求項３】
前記横方向マチテープの半円周状端部に、タックが形成されていることを特徴とする請求項１又は２に記載の羽毛布団。
【請求項４】
前記縦方向マチテープと、前記表地及び裏地との間の角度が３５〜４０°であることを特徴とする請求項１〜３に記載の羽毛布団。
【発明の詳細な説明】
【技術分野】
【０００１】
本発明は、キルティング式の羽毛布団に関する。特には、端部近傍を含めた全体の厚さが比較的厚く、キルティングの縫い目から熱が逃げにくい羽毛布団に関する。
【背景技術】
【０００２】
羽毛布団は、周囲を縫い合わせて袋状に形成した表地と裏地の間を複数の中袋に分割して、その中に羽毛を充填したものである。綿入れ布団よりも軽くて暖かいので、最近の掛け布団はほとんど羽毛布団となっている。
【０００３】
羽毛布団の中袋は、布団の中の羽毛を布団全体に均一に分散させるためのものである。ところが、この中袋の縫い目の部分で布団の厚さが薄くなりやすく、従来はこの部分にマチテープを入れてボリュームが出るようにしていた。しかし、マチテープの幅にも限りがあり、また幅を広げるとその分だけ重くなってしまう。
【０００４】
そこで、本出願人は、表地と裏地との間に中地を交互に折れ線状に縫い付けることにより、表地裏地との間に中袋が斜めに分割された複数の区画を形成し、各区画に羽毛を充填した羽毛布団を提案した（特許文献１参照）。このような構造により、縫い目の部分で分割された区画が厚さ方向において重なり、重なった部分に十分な量の羽毛が充填されるため、縫い目の部分にもボリュームが出て、軽くて暖かい羽毛布団を提供できる。同様に、隔壁布（仕切布）を表地と裏地との間に交互に斜めに縫い付けた羽毛布団は複数提案されている（特許文献２参照）。
【０００５】
【特許文献１】特開平１１−１７８６８７
【特許文献２】特開平８−２４２９９６
【発明の開示】
【発明が解決しようとする課題】
【０００６】
本発明は、このような表地と裏地との間に中地を交互に折れ線状に縫い付けた羽毛布団において、端部近傍を含めた全体の厚さをより厚くできる羽毛布団を提供することを目的とする。
【課題を解決するための手段】
【０００７】
本発明の羽毛布団は、 左右辺及び上下辺を有する表地と、 同じく左右辺及び上下辺を有し、前記表地と合わされて各辺を縫い合わされ内部に中袋を形成している裏地と、 前記中袋を左右方向に分割し上下方向に延びる縦方向マチテープと、 前記中袋を上下方向に分割し左右方向に延びる横方向マチテープと、 分割された中袋の各々に充填された羽毛と、 を備える羽毛布団であって； ここで、前記左右方向とは寝る人の左右方向をいい、前記上下方向とは寝る人の身長の方向をいい、 前記縦方向マチテープは、前記表地と前記裏地の間において、斜めに折れ線状に配設されており、 前記横方向マチテープは、その左右端部が半円周状に前記表地及び裏地に縫い付けられており、 前記左右端部を除いて布団の厚さが１５ｃｍ以上であることを特徴とする。
【０００８】
本発明においては、縦方向マチテープを折れ線状に配設したことにより、同テープと両生地間の縫い目の部分で、分割された区画が厚さ方向において重なり、重なった部分に十分な量の羽毛が充填されるため、縫い目の部分にボリュームを出すことができる。さらに、布団の左右端部においては、横方向マチテープを半円周状に両生地に縫い付けたことにより、左右端部近傍にも十分な量の羽毛を充填することができる。これらのことから、布団の厚さを、ほぼ全体にわたって厚さを１５ｃｍ以上とすることができる。
【０００９】
本発明においては、  左右端の前記縦方向マチテープは、前記横方向マチテープの半円周状部の内側端部に縫い付けられており、  左右端の分割区画の横断面形状が、端部の半円周状の部分とその内側の三角形状の部分とを有する形状であり、 前記三角形状の部分に充填されている羽毛が前記縦方向マチテープに沿って前記半円周状の部分に集まりやすくなることが好ましい。
【００１０】
左右端部の分割区画が比較的厚く、また、横断面形状が半円周状の部分と三角形状の部分とを有することにより、三角形状の部分に充填されている羽毛が縦方向マチテープに沿って半円周状部分に集まりやすくなる。その結果、布団の左右端部で重くなり、身体の両側に沿いやすくなる。
【００１１】
本発明においては、  前記横方向マチテープの半円周状端部に、タックが形成されていることが好ましい。
【００１２】
タックを設けることにより、横方向マチテープの左右端近傍がつぶされた形状ではなく、布団の上下方向に膨らんだ（又は凹んだ）立体的な形状となる。このような構造とすることにより、布団の左右端部に充填される羽毛の量を増やすことなくとも、布団の厚さ方向の強度が高くなり、左右端部の厚さを厚くすることができる。
【００１３】
本発明においては、  前記縦方向マチテープと、前記表地及び裏地との間の角度が３５〜４０°であることとすれば、縦方向マチテープと両生地間の縫い目の部分で、厚さ方向に重なる分割区画に充填される羽毛の量を適宜な量とすることができる。
【発明の効果】
【００１４】
以上の説明から明らかなように、本発明の羽毛布団は、縦方向マチテープを折れ線状に配設したことにより、同テープと両生地間の縫い目の部分で、分割された区画が厚さ方向において重なり、重なった部分に十分な量の羽毛が充填されるため、縫い目の部分にボリュームを出すことができる。さらに、布団の左右端近傍においては、横方向マチテープを半円周状に両生地に縫い付けることにより、あるいは、さらにタックを形成したことにより、左右端部に十分な量の羽毛を充填することができる。これらのことから、ほぼ全体にわたって厚さが１５ｃｍ以上の布団を提供できる。
【発明を実施するための形態】
【００１５】
以下、図面を参照しつつ説明する。
図１は、本発明の１実施例に係る羽毛布団の構造を示す図である。（Ａ）は断面斜視図、（Ｂ）は横断面図である。
図２は、図１の羽毛布団の平面図である。以下の説明において、左右方向とは図に示す左右方向（寝る人の左右方向）を示し、上下方向とは図に示す上下方向（寝る人身長の方向）を示す。
図３は、横方向マチテープの端部と表地及び裏地との縫い目付近の構造を説明する図である。
この羽毛布団１は、図２に示すように、左右辺Ａ、Ｂ及び上下辺Ｃ、Ｄを有する長方形の表地３と裏地５とを備える。表地３と裏地５とは左右辺Ａ、Ｂ及び上下辺Ｃ、Ｄが縫い合わされて内部に中袋７が形成されている。中袋７は、上下方向に延びる複数の縦方向マチテープ１１−１〜４と、左右方向に延びる複数の横方向マチテープ１３とによって、複数の区画に分割されている。この例では、中袋７が、３本の横方向マチテープ１３によって上下方向に並んだ４個の区画に分割され、分割された各区画が、４本の縦方向マチテープ１１−１〜４によって左右方向に並んだ５個の区画に分割される例を説明する。この場合、全区画の数は２０個となる。各区画には羽毛が充填されている。
【００１６】
横方向マチテープ１３は、図１に示すように、横長の楕円状の形状を有し、表地３及び裏地５を上下方向に４分割するほぼ同じ位置に縫い付けられている。つまり、図２に示すように、平面において、横方向マチテープ１３と表地３との縫い目Ｅ、Ｆ、Ｇと、同テープ１３と裏地５との縫い目Ｅ´、Ｆ´、Ｇ´とは、ほぼ同じ位置である。
【００１７】
また、図３に示すように、布団１の左右端部では、横方向マチテープ１３の左右端部の中央部をつまんで表地３と裏地５との間の縫い目Ｂに縫い込んだタック１４が形成されており、同マチテープ１３は左右端部が半円周状となるように表地３及び裏地５に縫い付けられている。これにより、羽毛布団１の断面は図１に示す様に、左右端が半円周状の横長の楕円形状となっている。このようなタック１４を設けることにより、マチテープ１３の左右端近傍がつぶされた形状ではなく、布団１の上下方向に膨らんだ（又は凹んだ）立体的な形状となっている。これにより、布団１の左右端部に充填される羽毛の量を増やすことなくとも、布団１の厚さ方向の強度が高くなり、左右端近傍の厚さを厚くすることができる。
【００１８】
縦方向マチテープ１１−１〜４は長方形の形状を有し、上下辺は、横方向マチテープ１３又は表地３及び裏地５の上下辺Ｃ、Ｄに縫い付けられている。左右辺は、表地３の上下方向に延びる２か所の縫い目Ｈ、Ｉと、裏地５の上下方向に延びる３か所の縫い目Ｊ、Ｋ、Ｌに縫い付けられている。図２に示すように、表地３の２か所の縫い目Ｈ、Ｉは、表地３を左右方向にほぼ３分割する位置に形成されている。図１（Ｂ）に示すように、裏地５の３か所の縫い目の内、両端の縫い目Ｊ、Ｌは、横方向マチテープ１３の半円周状部の端に位置し、中央の縫い目Ｋは、裏地５の左右方向中央に位置する。
【００１９】
つまり、断面においては、図１に示すように、最も左端の縦方向マチテープ１１−１は、裏地５の縫い目Ｊと表地３の縫い目Ｈとの間、左から２番目の縦方向マチテープ１１−２は、表地３の縫い目Ｈと裏地５の縫い目Ｋとの間、右から２番目の縦方向マチテープ１１−３は、裏地５の縫い目Ｋと表地３の縫い目Ｉとの間、最も右端の縦方向マチテープ１１−４は、表地３の縫い目Ｉと裏地の縫い目Ｌとの間に、斜めに延びている。このように、４本の縦方向マチテープ１１が、表地３と裏地５の間において、斜めに折れ線状（逆Ｗ字状）に配設されている。
【００２０】
なお、各縦方向マチテープ１１は、両生地３、５の間にほぼ直線状に延びている。また、各縦方向マチテープ１１と表地３及び裏地５との間の角度θは、３５〜４０°である。
【００２１】
このような構成により、３本の横方向マチテープ１３で区切られた中袋７の４個の区画は、各々４本の縦方向マチテープ１１−１〜４で５個の区画に分割されて、中袋７は合計で２０個の区画に分割される。各区画には、横方向マチテープ１３に形成された羽毛充填口９から適宜な量の羽毛が充填されている。上記で説明したように、縦方向マチテープ１３を折れ線状に配設したことにより、縫い目Ｈ、Ｉ、Ｊ、Ｋ、Ｌの部分で分割された区画が厚さ方向において重なり、重なった部分に十分な量の羽毛が充填されるため、縫い目の部分にボリュームを出すことができる。さらに、布団１の左右端近傍においては、横方向マチテープ１３を半円周状に縫い付けてタック１４を形成したことにより、左右端部に充填される羽毛の量を増やさなくとも布団１の厚さ方向の強度が高くなり、左右端部の厚さを厚くすることができる。その結果、ほぼ全体にわたって厚さを１５ｃｍ以上とすることができる。
【００２２】
また、図１（Ｂ）に示すように、左右端の縦方向マチテープ１１−１〜４は、横方向マチテープ１３の半円周状部の内側端部に位置する裏地３の左右端の縫い目Ｊ、Ｋに縫い付けられているため、左右端の分割区画７の横断面形状は、楕円形を斜めに切断したような形状となっている。詳しく説明すると、左右端の分割区画７は、端部の横断面が三角形状の部分７ａと、その内側の端部が半円周状の部分７ｂとを有する。このような形状により、三角形状の部分７ａに充填されている羽毛が縦方向マチテープ１１に沿って半円周状部分７ｂに集まりやすくなる。このため、布団１の左右端部が重くなり、身体の両側に沿いやすくなる。
【図面の簡単な説明】
【００２３】
【図１】本発明の１実施例に係る羽毛布団の構造を示す図である。（Ａ）は断面斜視図、（Ｂ）は横断面図である。
【図２】図１の羽毛布団の平面図である。
【図３】横方向マチテープの端部と表地及び裏地との縫い目付近の構造を説明する図である。
【符号の説明】
【００２４】
１  羽毛布団                        ３  表地
５  裏地                            ７  中袋
９  羽毛充填口                    １１  縦方向マチテープ
１３  横方向マチテープ              １４  タック
【図１】
0005049868.tif 000002
【図２】
0005049868.tif 000003
【図３】
0005049868.tif 000004